(57)【要約】【課題】裏うつり防止策としてページ全体の濃度を下げると文字が読みにくくなる。【解決手段】インクにより記録内容を被記録物に記録する記録装置に記録命令を出力する情報処理装置であって、被記録物の表裏各面に記録する各記録内容に画像が含まれているか否かを判断する画像有無判断部と、各記録内容に含まれる画像を被記録物上に記録する記録領域を取得する画像位置取得部と、画像位置取得部により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が重なり合うか否かを判断する重なり判断部と、記録領域が重なり合う表面の画像と裏面の画像のうち、少なくとも一方の画像に使用されるインクの量を削減させる記録命令を記録装置に出力する記録命令出力部とを備える。【選択図】図２
2008158574.tif 000002
【特許請求の範囲】
【請求項１】
インクにより記録内容を被記録物に記録する記録装置に記録命令を出力する情報処理装置であって、
前記被記録物の両面に前記記録内容を記録すべき旨の要求を受け付けた場合に、前記被記録物の表裏各面に記録する各記録内容に画像が含まれているか否かを判断する画像有無判断部と、
前記画像有無判断部により前記被記録物の表裏各面に記録する各記録内容のいずれにも画像が含まれていると判断された場合に、前記各記録内容に含まれる画像を前記被記録物上に記録する記録領域を取得する画像位置取得部と、
前記画像位置取得部により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断部と、
前記重なり判断部において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録装置に出力する記録命令出力部と
を備える情報処理装置。
【請求項２】
前記記録命令出力部は、前記記録領域が重なり合う前記表面の画像および前記裏面の画像に使用される前記インクの量を削減させる前記記録命令を前記記録装置に出力する請求項１に記載の情報処理装置。
【請求項３】
前記記録命令出力部は、前記記録領域が重なり合う前記表面の画像および前記裏面の画像のうち、前記表面および前記裏面のうち先に記録する一方の面に記録される画像に使用される前記インクの量を削減させる前記記録命令を前記記録装置に出力する請求項１に記載の情報処理装置。
【請求項４】
前記記録命令出力部は、前記記録領域が重なり合う前記表面の画像および前記裏面の画像について、重なり合う面積に応じて前記インクの量を削減させる前記記録命令を前記記録装置に出力する請求項１に記載の情報処理装置。
【請求項５】
前記記録命令出力部により出力される前記インクの量を削減させる前記記録命令は、前記インクを吐出する数を前記記録装置に削減させる記録命令である請求項１に記載の情報処理装置。
【請求項６】
前記記録命令出力部により出力される前記インクの量を削減させる前記記録命令は、１度に吐出する前記インクの量を前記記録装置に削減させる記録命令である請求項１に記載の情報処理装置。
【請求項７】
インクにより記録内容を被記録物に記録する記録装置に記録命令を出力する情報処理方法であって、
前記被記録物の両面に前記記録内容を記録すべき旨の要求を受け付けた場合に、前記被記録物の表裏各面に記録する各記録内容に画像が含まれているか否かを判断する画像有無判断手順と、
前記画像有無判断手順により前記被記録物の表裏各面に記録する各記録内容のいずれにも画像が含まれていると判断された場合に、前記各記録内容に含まれる画像を前記被記録物上に記録する記録領域を取得する画像位置取得手順と、
前記画像位置取得手順により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断手順と、
前記重なり判断手順において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録装置に出力する記録命令出力手順と
を備える情報処理方法。
【請求項８】
インクにより記録内容を被記録物に記録する記録装置に記録命令を出力する情報処理装置を制御するプログラムであって、前記情報処理装置に、
前記被記録物の両面に前記記録内容を記録すべき旨の要求を受け付けた場合に、前記被記録物の表裏各面に記録する各記録内容に画像が含まれているか否かを判断する画像有無判断手順、
前記画像有無判断手順により前記被記録物の表裏各面に記録する各記録内容のいずれにも画像が含まれていると判断された場合に、前記各記録内容に含まれる画像を前記被記録物上に記録する記録領域を取得する画像位置取得手順、
前記画像位置取得手順により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断手順、および、
前記重なり判断手順において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録装置に出力する記録命令出力手順
を実行させるプログラム。
【請求項９】
記録命令に基づいてインクにより記録内容を被記録物に記録する記録ヘッドを有する記録装置であって、
前記被記録物の両面に前記記録内容を記録すべき旨の要求を受け付けた場合に、前記被記録物の表裏各面に記録する各記録内容に画像が含まれているか否かを判断する画像有無判断部と、
前記画像有無判断部により前記被記録物の表裏各面に記録する各記録内容のいずれにも画像が含まれていると判断された場合に、前記各記録内容に含まれる画像を前記被記録物上に記録する記録領域を取得する画像位置取得部と、
前記画像位置取得部により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断部と、
前記重なり判断部において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録ヘッドに出力する記録命令出力部と
を備える記録装置。
【請求項１０】
記録ヘッドに記録命令を出力してインクにより記録内容を被記録物に記録する記録方法であって、
前記被記録物の両面に前記記録内容を記録すべき旨の要求を受け付けた場合に、前記被記録物の表裏各面に記録する各記録内容に画像が含まれているか否かを判断する画像有無判断手順と、
前記画像有無判断手順により前記被記録物の表裏各面に記録する各記録内容のいずれにも画像が含まれていると判断された場合に、前記各記録内容に含まれる画像を前記被記録物上に記録する記録領域を取得する画像位置取得手順と、
前記画像位置取得手順により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断手順と、
前記重なり判断手順において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録ヘッドに出力する記録命令出力手順と
を備える記録方法。
【請求項１１】
記録命令に基づいてインクにより記録内容を被記録物に記録する記録ヘッドを有する記録装置を制御するプログラムであって、前記記録装置に、
前記被記録物の両面に前記記録内容を記録すべき旨の要求を受け付けた場合に、前記被記録物の表裏各面に記録する各記録内容に画像が含まれているか否かを判断する画像有無判断手順、
前記画像有無判断手順により前記被記録物の表裏各面に記録する各記録内容のいずれにも画像が含まれていると判断された場合に、前記各記録内容に含まれる画像を前記被記録物上に記録する記録領域を取得する画像位置取得手順、
前記画像位置取得手順により取得された前記被記録物の表面に記録する前記記録内容に含まれる画像の前記被記録物の表面上の前記記録領域と、前記被記録物の裏面に記録する前記記録内容に含まれる画像の前記被記録物の裏面上の前記記録領域に対応する前記被記録物の表面の領域と、が少なくとも一部において重なり合うか否かを判断する重なり判断手順、および、
前記重なり判断手順において前記表面の画像と前記裏面の画像とが重なり合うと判断された場合に、前記記録領域が重なり合う前記表面の画像と前記裏面の画像のうち、少なくとも一方の画像に使用される前記インクの量を削減させる前記記録命令を前記記録ヘッドに出力する記録命令出力手順
を実行させるプログラム。
【発明の詳細な説明】
【技術分野】
【０００１】
本発明は、情報処理装置、情報処理方法、記録装置、記録方法およびプログラムに関する。特に、本発明は、インクにより記録内容を被記録物に記録する情報処理装置、情報処理方法、記録装置、記録方法およびプログラムに関する。
【背景技術】
【０００２】
両面印刷時の裏うつりを防止する画像記録方法が知られている（例えば、特許文献１参照）。特許文献１に記載の画像記録方法によれば、記録用紙の同じ位置の両面に記録される表面及び裏面の画像が存在するか否かに応じてページ全体の濃度を調整する。
【特許文献１】特開２０００−５９６３０号公報
【発明の開示】
【発明が解決しようとする課題】
【０００３】
しかしながら、特許文献１に記載の画像記録方法によれば、ページ全体の濃度を下げるので、当該ページに含まれる文字および重なりのない画像も見難くなるという課題がある。
【課題を解決するための手段】
【０００４】
上記課題を解決するために、本発明の第１の形態においては、インクにより記録内容を被記録物に記録する記録装置に記録命令を出力する情報処理装置であって、被記録物の両面に記録内容を記録すべき旨の要求を受け付けた場合に、被記録物の表裏各面に記録する各記録内容に画像が含まれているか否かを判断する画像有無判断部と、画像有無判断部により被記録物の表裏各面に記録する各記録内容のいずれにも画像が含まれていると判断された場合に、各記録内容に含まれる画像を被記録物上に記録する記録領域を取得する画像位置取得部と、画像位置取得部により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断部と、重なり判断部において表面の画像と裏面の画像とが重なり合うと判断された場合に、記録領域が重なり合う表面の画像と裏面の画像のうち、少なくとも一方の画像に使用されるインクの量を削減させる記録命令を記録装置に出力する記録命令出力部とを備える。これにより、裏うつりの影響度が少ない文字や重なりのない画像の濃度を変えることなく、裏うつりの影響度が大きい画像の濃度を下げるので、文字や重なりのない画像を見やすく印刷したまま、裏うつりを防止することができる。
【０００５】
記録命令出力部は、記録領域が重なり合う表面の画像および裏面の画像に使用されるインクの量を削減させる記録命令を記録装置に出力してもよい。これにより、より確実に裏うつりを防止することができる。
【０００６】
記録命令出力部は、記録領域が重なり合う表面の画像および裏面の画像のうち、表面および裏面のうち先に記録する一方の面に記録される画像に使用されるインクの量を削減させる記録命令を記録装置に出力してもよい。これにより、反転時におけるにじみなどの影響度も考慮して裏うつりを防止することができる。
【０００７】
記録命令出力部は、記録領域が重なり合う表面の画像および裏面の画像について、重なり合う面積に応じてインクの量を削減させる記録命令を記録装置に出力してもよい。これにより、裏うつりの範囲が大きく目立つか否かに応じて、裏うつりを防止することができる。
【０００８】
記録命令出力部により出力されるインクの量を削減させる記録命令は、インクを吐出する数を記録装置に削減させる記録命令であってもよい。
【０００９】
記録命令出力部により出力されるインクの量を削減させる記録命令は、１度に吐出するインクの量を記録装置に削減させる記録命令であってもよい。
【００１０】
上記課題を解決するために、本発明の第２の形態においては、インクにより記録内容を被記録物に記録する記録装置に記録命令を出力する情報処理方法であって、被記録物の両面に記録内容を記録すべき旨の要求を受け付けた場合に、被記録物の表裏各面に記録する各記録内容に画像が含まれているか否かを判断する画像有無判断手順と、画像有無判断手順により被記録物の表裏各面に記録する各記録内容のいずれにも画像が含まれていると判断された場合に、各記録内容に含まれる画像を被記録物上に記録する記録領域を取得する画像位置取得手順と、画像位置取得手順により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断手順と、重なり判断手順において表面の画像と裏面の画像とが重なり合うと判断された場合に、記録領域が重なり合う表面の画像と裏面の画像のうち、少なくとも一方の画像に使用されるインクの量を削減させる記録命令を記録装置に出力する記録命令出力手順とを備える。これにより、第１の形態と同一の効果を得ることができる。
【００１１】
上記課題を解決するために、本発明の第３の形態においては、インクにより記録内容を被記録物に記録する記録装置に記録命令を出力する情報処理装置を制御するプログラムであって、情報処理装置に、被記録物の両面に記録内容を記録すべき旨の要求を受け付けた場合に、被記録物の表裏各面に記録する各記録内容に画像が含まれているか否かを判断する画像有無判断手順、画像有無判断手順により被記録物の表裏各面に記録する各記録内容のいずれにも画像が含まれていると判断された場合に、各記録内容に含まれる画像を被記録物上に記録する記録領域を取得する画像位置取得手順、画像位置取得手順により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断手順、および、重なり判断手順において表面の画像と裏面の画像とが重なり合うと判断された場合に、記録領域が重なり合う表面の画像と裏面の画像のうち、少なくとも一方の画像に使用されるインクの量を削減させる記録命令を記録装置に出力する記録命令出力手順を実行させる。これにより、第１の形態と同一の効果を得ることができる。
【００１２】
上記課題を解決するために、本発明の第４の形態においては、記録命令に基づいてインクにより記録内容を被記録物に記録する記録ヘッドを有する記録装置であって、被記録物の両面に記録内容を記録すべき旨の要求を受け付けた場合に、被記録物の表裏各面に記録する各記録内容に画像が含まれているか否かを判断する画像有無判断部と、画像有無判断部により被記録物の表裏各面に記録する各記録内容のいずれにも画像が含まれていると判断された場合に、各記録内容に含まれる画像を被記録物上に記録する記録領域を取得する画像位置取得部と、画像位置取得部により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断部と、重なり判断部において表面の画像と裏面の画像とが重なり合うと判断された場合に、記録領域が重なり合う表面の画像と裏面の画像のうち、少なくとも一方の画像に使用されるインクの量を削減させる記録命令を記録ヘッドに出力する記録命令出力部とを備える。これにより、第１の形態と同一の効果を得ることができる。
【００１３】
上記課題を解決するために、本発明の第５の形態においては、記録ヘッドに記録命令を出力してインクにより記録内容を被記録物に記録する記録方法であって、被記録物の両面に記録内容を記録すべき旨の要求を受け付けた場合に、被記録物の表裏各面に記録する各記録内容に画像が含まれているか否かを判断する画像有無判断手順と、画像有無判断手順により被記録物の表裏各面に記録する各記録内容のいずれにも画像が含まれていると判断された場合に、各記録内容に含まれる画像を被記録物上に記録する記録領域を取得する画像位置取得手順と、画像位置取得手順により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断手順と、重なり判断手順において表面の画像と裏面の画像とが重なり合うと判断された場合に、記録領域が重なり合う表面の画像と裏面の画像のうち、少なくとも一方の画像に使用されるインクの量を削減させる記録命令を記録ヘッドに出力する記録命令出力手順とを備える。これにより、第１の形態と同一の効果を得ることができる。
【００１４】
上記課題を解決するために、本発明の第６の形態においては、記録命令に基づいてインクにより記録内容を被記録物に記録する記録ヘッドを有する記録装置を制御するプログラムであって、記録装置に、被記録物の両面に記録内容を記録すべき旨の要求を受け付けた場合に、被記録物の表裏各面に記録する各記録内容に画像が含まれているか否かを判断する画像有無判断手順、画像有無判断手順により被記録物の表裏各面に記録する各記録内容のいずれにも画像が含まれていると判断された場合に、各記録内容に含まれる画像を被記録物上に記録する記録領域を取得する画像位置取得手順、画像位置取得手順により取得された被記録物の表面に記録する記録内容に含まれる画像の被記録物の表面上の記録領域と、被記録物の裏面に記録する記録内容に含まれる画像の被記録物の裏面上の記録領域に対応する被記録物の表面の領域と、が少なくとも一部において重なり合うか否かを判断する重なり判断手順、および、重なり判断手順において表面の画像と裏面の画像とが重なり合うと判断された場合に、記録領域が重なり合う表面の画像と裏面の画像のうち、少なくとも一方の画像に使用されるインクの量を削減させる記録命令を記録ヘッドに出力する記録命令出力手順を実行させる。これにより、第１の形態と同一の効果を得ることができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１７】
図１は、パーソナルコンピュータ１０の一例を示す。パーソナルコンピュータ１０は、情報処理装置の一例であって、本体１２と、ユーザに対して本体１２からの出力に基づく表示をするディスプレイ１４と、ユーザから本体１２に対する入力手段の一例としてのキーボード１６及びマウス１８とを備える。パーソナルコンピュータ１０は、ネットワークを介してプリンタ２０と接続する。プリンタ２０は、記録装置の一例であって、本体２２と、ユーザに対して本体２２からの出力に基づく表示をするディスプレイ２４と、ユーザから本体に対する入力手段の一例としての操作パネル２６を備え、パーソナルコンピュータ１０から出力された記録命令に基づいて、インクにより記録内容を記録用紙に記録する。なお、パーソナルコンピュータ１０から出力される記録命令は、記録内容および吐出させるインクの量などに関する情報などが含まれる。
【００１８】
図２は、プリンタ２０の両面印刷機能を説明する概略図である。プリンタ２０は、記録用紙の両面に記録内容を記録する両面印刷機能を備える。プリンタ２０は、まず、図２（ａ）に示すように、非図示のローラ制御部により紙送りローラ８２を回転させて記録用紙をＡ方向に搬送し、記録用紙の一の面（以下、「表面」という。）に、記録ヘッド８０からインクを吐出させることにより記録内容を記録する。次に、プリンタ２０は、図２（ｂ）に示すように、ローラ制御部により紙送りローラ８２を図２（ａ）と逆方向に回転させて記録用紙をＢ方向に搬送し、反転ローラ８４により記録用紙の表裏を反転させる。次に、プリンタ２０は、図２（ｃ）に示すように、ローラ制御部により紙送りローラ８２を図２（ａ）と同方向に回転させて記録用紙をＡ方向に搬送し、表面の裏の面（以下、「裏面」という。）に、記録ヘッド８０からインクを吐出させることにより記録内容を記録する。なお、プリンタ２０は、記録ヘッド８０を制御する非図示の記録ヘッド制御部を備え、この記録ヘッド制御部により記録ヘッド８０からインクを吐出させるヘッドショット数、または、１ヘッドショットに吐出させるインクの量を制御する。
【００１９】
図３は、パーソナルコンピュータ１０のブロック図の一例を示す。パーソナルコンピュータ１０は、画像有無判断部１１０、画像位置取得部１３０、重なり判断部１４０および記録命令出力部１５０を備える。
【００２０】
画像有無判断部１１０は、記録用紙の両面に記録内容を記録すべき旨の要求をユーザから受け付ける。画像有無判断部１１０は、記録用紙の両面に記録内容を記録すべき旨の要求を受け付けた場合に、記録用紙の表裏各面に記録する各記録内容に画像が含まれているか否かを判断する。
【００２１】
画像位置取得部１３０は、画像有無判断部１１０により記録用紙の表裏各面に記録する各記録内容のいずれにも画像が含まれていると判断された場合に、前記各記録内容に含まれる画像を記録用紙上に記録する記録領域を取得する。
【００２２】
重なり判断部１４０は、画像位置取得部１３０により取得された記録用紙の表面に記録する記録内容に含まれる画像の当該記録用紙の表面上の記録領域と、記録用紙の裏面に記録する記録内容に含まれる画像の当該被記録物の裏面上の記録領域に対応する当該記録用紙の表面の領域と、が少なくとも一部において重なり合うか否かを判断する。
【００２３】
記録命令出力部１５０は、重なり判断部１４０において表面の画像と裏面の画像とが重なり合うと判断された場合に、記録領域が重なり合う当該表面の画像と当該裏面の画像のうち、少なくとも一方の画像に使用されるインクの量を削減させる記録命令をプリンタ２０に出力する。これにより、裏うつりの影響度が少ない文字や重なりのない画像の濃度を変えることなく、裏うつりの影響度が大きい画像の濃度を下げるので、文字や重なりのない画像を見やすく印刷したまま、裏うつりを防止することができる。
【００２４】
例えば、記録命令出力部１５０は、記録領域が重なり合う当該表面の画像に使用されるインクの量を削減させ、かつ、記録領域が重なり合う当該裏面の画像に使用されるインクの量を削減させる記録命令をプリンタ２０に出力する。これにより、より確実に裏うつりを防止することができる。
【００２５】
また例えば、記録命令出力部１５０は、当該表面および当該裏面のうち先に記録する一方の面に記録される画像に使用されるインクの量を削減させる記録命令をプリンタ２０に出力する。これにより、裏うつりを防止しつつ、両面記録のスループットを早くすることができる。
【００２６】
ここで記録命令出力部１５０は、画像に使用されるインクの量を削減させる記録命令として、当該画像に対するヘッドショット数を削減させる記録命令をプリンタ２０に出力する。また記録命令出力部１５０は、ヘッドショット数を削減させる記録命令にかえて、当該画像に対する１ヘッドショットに吐出するインクの量を削減させる記録命令をプリンタ２０に出力してもよい。なお、プリンタ２０は、当該画像に対するヘッドショット数を削減させる記録命令を受け付けた場合、記録ヘッド制御部により当該画像にインクを吐出させるヘッドショット数を削減する。またプリンタ２０は、当該画像に対する１ヘッドショットに吐出するインクの量を削減させる記録命令を受け付けた場合には、記録ヘッド制御部により当該画像に対する１ヘッドショットに吐出するインクの量を削減する。
【００２７】
また、記録命令出力部１５０は、記録領域が重なり合う表面の画像および裏面の画像について、重なり合う面積に応じてインクの量を削減させる記録命令をプリンタ２０に出力してもよい。これにより、裏うつりの範囲が大きく目立つか否かに応じて、裏うつりを防止することができる。
【００２８】
記憶媒体７０は、画像有無判断部１１０、画像位置取得部１３０、重なり判断部１４０および記録命令出力部１５０の動作を行わせるプログラムを記憶する。パーソナルコンピュータ１０は、記憶媒体７０に記憶された上記プログラムをインストールすることにより、画像有無判断部１１０等の動作を行わせてもよい。さらに、他の方法として、パーソナルコンピュータ１０は、そのようなプログラムを、ネットワークを介して取得してもよい。
【００２９】
図４は、パーソナルコンピュータ１０の動作の一例を示すフローチャートである。図５は、ディスプレイ１４に表示された記録内容の一例を示す。図６は、画像の記録領域を説明する模式図である。図７は、画像の記録領域を説明する模式図である。図８は、記録用紙に記録される記録内容を模式的に示す。図９は、画像の記録領域を説明する模式図である。図４に示すフローチャートは、画像有無判断部１１０が記録用紙の両面に記録内容を記録すべき旨の要求を受け付けることにより開始する。説明上、画像有無判断部１１０は、図５に示す１ページ目の記録内容Ａを記録用紙の表面に、２ページ目の記録内容Ｂを記録用紙の裏面に記録すべき旨の要求を受け付けたものとする。なお、図５に示すように、記録内容Ａは画像ｒおよび画像ｓを含み、記録内容Ｂは画像ｔ、画像ｕおよびテキストを含む。
【００３０】
まず、画像有無判断部１１０は、記録内容Ａおよび記録内容Ｂを記録命令出力部１５０に受け渡す。次に、画像有無判断部１１０は、記録用紙の表裏各面に記録する記録内容Ａおよび記録内容Ｂのいずれにも画像が含まれているか否かを判断する（Ｓ１００）。
【００３１】
ステップＳ１００において、画像有無判断部１１０は記録用紙の表裏各面に記録する記録内容Ａおよび記録内容Ｂのいずれにも画像が含まれていると判断した場合には（Ｓ１００：Ｙｅｓ）、その旨を画像位置取得部１３０に通知する。
【００３２】
通知を受けた画像位置取得部１３０は、図６（ａ）に示すように、記録内容Ａに含まれる画像ｒの記録用紙の表面上の記録領域Ｒ、および、画像ｓの記録用紙の表面上の記録領域Ｓを取得する（Ｓ１１０）。同様に、画像位置取得部１３０は、図６（ｂ）に示すように、記録内容Ｂに含まれる画像ｔの記録用紙の裏面上の記録領域Ｔ、および、画像ｕの記録用紙の裏面上の記録領域Ｕを取得する（同ステップ）。例えば、画像位置取得部１３０は、記録領域Ｒの表面における左上隅および右下隅の座標、記録領域Ｓの表面における左上隅および右下隅の座標、記録領域Ｔの裏面における左上隅および右下隅の座標、および、記録領域Ｕの裏面における左上隅および右下隅の座標を取得する。画像位置取得部１３０は、取得した各記録領域を重なり判断部１４０に受け渡す。
【００３３】
重なり判断部１４０は、記録用紙の表面上の記録領域Ｒまたは記録領域Ｓと、記録用紙の裏面上の記録領域Ｔまたは記録領域Ｕに対応する表面の領域と、が少なくとも一部において重なり合うか否かを判断する（Ｓ１２０）。まず、重なり判断部１４０は、図６（ｂ）を記録用紙の表面から透かして見える領域、すなわち図６（ｂ）に示す中心線Ｌに対し記録領域Ｔおよび記録領域Ｕが線対称の領域となる、図７（ａ）に示す記録領域Ｔ'および記録領域Ｕ'を取得する。そして重なり判断部１４０は、図６（ａ）に示す記録領域Ｒまたは記録領域Ｓと、図７（ａ）に示す記録領域Ｔ'または記録領域Ｕ'とを、図７（ｂ）に示すように比較し、少なくとも一部において重なり合うか否かを判断する。なお、図７（ａ）（ｂ）に示す破線は、透かして見える領域である旨を示し、また、図７（ｂ）に示す斜線部分は記録領域Ｒと記録領域Ｕ'の重なった領域を示す（図９も同様）。
【００３４】
ステップＳ１２０において、重なり判断部１４０は記録用紙の表面上の記録領域Ｒまたは記録領域Ｓと、記録用紙の裏面上の記録領域Ｔまたは記録領域Ｕに対応する表面の領域と、が少なくとも一部において重なり合うと判断した場合には（Ｓ１２０：Ｙｅｓ）、重なり合う面積を算出する。図７（ｂ）に示す例において、重なり判断部１４０は記録領域Ｒと記録領域Ｕ'とが少なくとも一部において重なり合うと判断し、記録領域Ｒと記録領域Ｕ'とが重なり合う面積を算出する。重なり判断部１４０は、重なり合うと判断した旨、および、重なり合う記録領域Ｒおよび記録領域Ｕ'を識別する情報、ならびに、重なり合う面積を記録命令出力部１５０に通知する。
【００３５】
通知を受けた記録命令出力部１５０は、記録領域Ｒおよび記録領域Ｕ'の重なり合う面積が所定の値よりも大きいか否かを判断する（Ｓ１３０）。記録命令出力部１５０は、例えば、重なり合う面積が２５万ドット（５００ドット×５００ドット）よりも大きいか否かを判断する（同ステップ）。これにより、裏うつりの範囲が大きく目立つか否かに応じて、裏うつりを防止することができる。
【００３６】
ステップＳ１３０において、記録命令出力部１５０は記録領域Ｒおよび記録領域Ｕ'の重なり合う面積が所定の値よりも大きいと判断した場合には（Ｓ１３０：Ｙｅｓ）、記録内容Ａおよび記録内容Ｂを含み、記録用紙の表面に記録される記録内容Ａに含まれる画像ｒに使用されるインクの量を２０％削減させる記録命令をプリンタ２０に出力する（Ｓ１４０）。そして本フローチャートは終了する。なお、この記録命令を取得したプリンタ２０は、図８（ａ）に網掛けで示すように、記録用紙の表面に画像ｒを、画像ｒの通常のインク量よりも２０％少ないインク量を使用して記録する。
【００３７】
一方、ステップＳ１３０において、記録命令出力部１５０は記録領域Ｒおよび記録領域Ｕ'の重なり合う面積が所定の値よりも大きくないと判断した場合には（Ｓ１３０：Ｎｏ）、記録内容Ａおよび記録内容Ｂを含み、記録用紙の表面に記録される記録内容Ａに含まれる画像ｒに使用されるインクの量を１０％削減させる記録命令をプリンタ２０に出力する（Ｓ１５０）。そして本フローチャートは終了する。なお、この記録命令を取得したプリンタ２０は、図８（ａ）に網掛けで示すように、記録用紙の表面に画像ｒを、画像ｒの通常のインク量よりも２０％少ないインク量を使用して記録する。
【００３８】
一方、ステップＳ１００において、画像有無判断部１１０は記録用紙の表裏各面に記録する記録内容Ａまたは記録内容Ｂの少なくとも一方に画像が含まれていないと判断した場合には（Ｓ１００：Ｎｏ）、その旨を記録命令出力部１５０に通知する。通知を受けた記録命令出力部１５０は、記録内容Ａおよび記録内容Ｂを含む記録命令をプリンタ２０に出力する（Ｓ１６０）。そして本フローチャートは終了する。
【００３９】
一方、ステップＳ１２０において、重なり判断部１４０は記録用紙の表面上の記録領域Ｒまたは記録領域Ｓと、記録用紙の裏面上の記録領域Ｔまたは記録領域Ｕに対応する表面の領域と、が少なくとも一部において重なり合わないと判断した場合には（Ｓ１２０：Ｎｏ）、重なり合うわないと判断した旨を記録命令出力部１５０に通知する。通知を受けた記録命令出力部１５０は、記録内容Ａおよび記録内容Ｂを含む記録命令をプリンタ２０に出力する（Ｓ１６０）。そして本フローチャートは終了する。
【００４０】
以上、本フローチャートによれば、裏うつりの影響度が少ない文字などの濃度を変えることなく、裏うつりの影響度が大きい画像の濃度を下げるので、文字を読みやすく印刷したまま、裏うつりを防止することができる。これにより、裏うつりを防止しつつ、両面記録のスループットを早くすることができる。
【００４１】
なお、ステップＳ１４０またはステップＳ１５０において、記録命令出力部１５０は、記録用紙の表裏において重なり合う画像ｒおよび画像ｕのうち、先に記録される記録内容Ａに含まれる画像ｒに使用されるインクの量を削減させる記録命令を出力するが、これに限定されない。一例として、記録命令出力部１５０は、記録用紙の表裏において重なり合う画像ｒおよび画像ｕの両方の画像に使用されるインクの量を削減させる記録命令を出力してもよい。これにより、より確実に裏うつりを防止することができる。他の一例として、記録命令出力部１５０は、記録用紙の表裏において重なり合う画像ｒおよび画像ｕのうち、画像の面積が小さい方の画像ｕに使用されるインクの量を削減させる記録命令を出力してもよい。これにより、目立つ画像の方はインク量をかえずに裏うつりを防止することができる。
【００４２】
さらに他の一例として、図５に示す記録内容Ａに画像ｓが含まれていない例において、ステップＳ１２０において重なり判断部１４０が、図９（ａ）に示す比較をする場合には、記録命令出力部１５０は、記録用紙の表裏において重なり合う画像ｒおよび画像ｕのうち、同一の面に記録する画像がない画像ｒに使用されるインクの量を削減させる記録命令を出力してもよい。これにより、同一の面に印刷する他の画像との濃淡のバランスを保ちつつ、裏うつりを防止することができる。
【００４３】
さらに他の一例として、図５に示す記録内容Ａの画像ｒおよび記録内容Ｂの画像ｓの大きさなどが異なる例において、ステップＳ１２０において重なり判断部１４０が、図９（ｂ）に示す比較をする場合には、記録命令出力部１５０は、記録用紙の表裏において重なり合う画像ｒと画像ｕの組および画像ｒと画像ｔの組のうち、両方の組に含まれる画像ｒに使用されるインクの量を削減させる記録命令をプリンタ２０に出力してもよい。これにより、インク量を削減して記録する画像の数をできるだけ少なく抑えつつ、裏うつりを防止することができる。
【００４４】
なお、ステップＳ１３０からステップＳ１５０において、記録命令出力部１５０は、記録用紙の表裏において重なり合う画像ｒおよび画像ｕの重なり合う面積に応じてインクの量を削減させる記録命令を出力するが、これに限定されない。一例として、記録命令出力部１５０は、重なり合う画像ｒまたは画像ｕの面積に応じてインクの量を削減させる記録命令を出力してもよい。
【００４５】
以上、本実施例によれば、裏うつりの影響度が少ない文字などの濃度を変えることなく、裏うつりの影響度が大きい画像の濃度を下げるので、文字を読みやすく印刷したまま、裏うつりを防止することができる。
【００４６】
なお、本実施例において、パーソナルコンピュータ１０は、画像有無判断部１１０、画像位置取得部１３０、重なり判断部１４０および記録命令出力部１５０を備えるが、他の形態として、プリンタ２０が、画像有無判断部、画像位置取得部、重なり判断部および記録命令出力部を備えてもよい。この場合には、プリンタ２０の記録命令出力部は、インクの量を削減させる記録命令を、記録ヘッド制御部を介して記録ヘッドに出力する。
【００４７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４８】
【図１】パーソナルコンピュータ１０の一例を示す。
【図２】プリンタ２０の両面印刷機能を説明する概略図である。
【図３】パーソナルコンピュータ１０のブロック図の一例を示す。
【図４】パーソナルコンピュータ１０の動作の一例を示すフローチャートである。
【図５】ディスプレイ１４に表示された記録内容の一例を示す。
【図６】画像の記録領域を説明する模式図である。
【図７】画像の記録領域を説明する模式図である。
【図８】記録用紙に記録される記録内容を模式的に示す。
【図９】画像の記録領域を説明する模式図である。
【符号の説明】
【００４９】
１０  パーソナルコンピュータ、１２  本体、１４  ディスプレイ、１６  キーボード、１８  マウス、２０  プリンタ、２２  本体、２４  ディスプレイ、２６  操作パネル、７０  記憶媒体、８０  記録ヘッド、８２  紙送りローラ、８４  反転ローラ、１１０  画像有無判断部、１３０  画像位置取得部、１４０  重なり判断部、１５０  記録命令出力部
【図１】
2008158574.tif 000003
【図２】
2008158574.tif 000004
【図３】
2008158574.tif 000005
【図４】
2008158574.tif 000006
【図５】
2008158574.tif 000007
【図６】
2008158574.tif 000008
【図７】
2008158574.tif 000009
【図８】
2008158574.tif 000010
【図９】
2008158574.tif 000011